(57)【要約】      （修正有）【課題】検知層に設置された各電極の内部抵抗を下降させるための投射型静電容量式タッチパネルを提供する。【解決手段】Ｘ軸検知層ＸＳと、Ｙ軸検知層ＹＳとを有し、その内、Ｘ軸検知層ＸＳは、複数の検知横列１０を備え、各検知横列１０は、一端にＸ軸駆動線１３が設置され、また、各検知横列１０は、２つ以上の並行するＸ軸電極チェーン１１、１２からなり、且つ、各Ｘ軸電極チェーン１１、１２は、複数のＸ軸電極１１１、１２１からなり、また、Ｙ軸検知層ＹＳは、複数の検知縦列２０を備え、各検知縦列２０は、一端にＹ軸駆動線２３が設置され、また、各検知縦列２０は、２つ以上の並行したＹ軸電極チェーン２１、２２からなり、且つ、各Ｙ軸電極チェーン２１、２２は、複数のＹ軸電極２１１、２２１からなり、Ｘ軸電極１１１、１２１とＹ軸電極２１１、２２１との間にそれぞれ静電容量を構成する。【選択図】図１
0003170266.tif 000002
【実用新案登録請求の範囲】
【請求項１】
Ｘ軸検知層ＸＳと、Ｙ軸検知層ＹＳとを有し、
該Ｘ軸検知層ＸＳは、複数の検知横列１０を備え、該各検知横列１０は、一端にＸ軸駆動線１３が設置され、また、該各検知横列１０は、２つ以上の並行するＸ軸電極チェーン１１、１２からなり、且つ、該各Ｘ軸電極チェーン１１、１２は、複数のＸ軸電極１１１、１２１からなり、
該Ｙ軸検知層ＹＳは、複数の検知縦列２０を備え、該各検知縦列２０は、一端にＹ軸駆動線２３が設置され、また、該各検知縦列２０は、２つ以上の並行したＹ軸電極チェーン２１、２２からなり、且つ、該各Ｙ軸電極チェーン２１、２２は、複数のＹ軸電極２１１、２２１からなり、
前記Ｘ軸電極１１１、１２１とＹ軸電極２１１、２２１との間にそれぞれ静電容量を構成することを特徴とする投射型静電容量式タッチパネル。
【請求項２】
前記Ｘ軸検知層ＸＳの各Ｘ軸電極１１１、１２１と前記Ｙ軸検知層ＹＳの各Ｙ軸電極２１１、２２１とは、それぞれ間隔をおいて配列されたセルフキャパシタンス型を構成することを特徴とする請求項１に記載の投射型静電容量式タッチパネル。
【請求項３】
前記Ｙ軸検知層ＹＳのＹ軸電極２１１、２２１は、それぞれ前記Ｘ軸検知層ＸＳのＸ軸電極１１１、１２１と対応するように重ねて相互キャパシタンス型を構成することを特徴とする請求項１に記載の投射型静電容量式タッチパネル。
【請求項４】
前記Ｘ軸検知層ＸＳ及びＹ軸検知層ＹＳは、同一の基材の同一の面に形成されることを特徴とする請求項２に記載の投射型静電容量式タッチパネル。
【請求項５】
前記Ｘ軸検知層ＸＳ及びＹ軸検知層ＹＳはそれぞれ、互いに相対する２つの基材３０、４０に形成されることを特徴とする請求項２又は３に記載の投射型静電容量式タッチパネル。
【請求項６】
前記Ｘ軸検知層ＸＳ及びＹ軸検知層ＹＳはそれぞれ、同一の基材の対応する上面及び底面に形成されることを特徴とする請求項２又は３に記載の投射型静電容量式タッチパネル。
【請求項７】
前記Ｘ軸検知層ＸＳのＸ軸電極１１１、１２１及びＹ軸検知層ＹＳのＹ軸電極２１１、２２１は、菱形を呈することを特徴とする請求項２又は３に記載の投射型静電容量式タッチパネル。
【請求項８】
前記Ｘ軸検知層ＸＳのＸ軸電極１１１、１２１及びＹ軸検知層ＹＳのＹ軸電極２１１、２２１は、矩形を呈することを特徴とする請求項３に記載の投射型静電容量式タッチパネル。
【考案の詳細な説明】
【技術分野】
【０００１】
本考案は、特に検知層に設置された各電極の内部抵抗を下降するための投射型静電容量式タッチパネルに関するものである。
【背景技術】
【０００２】
従来の投射型静電容量式タッチパネルにおける基本的な構造は、図４に示すように、基板７０と、Ｘ軸検知層８０と、Ｙ軸検知層９０とを有し、その内、該基板７０は、透明状を呈し、該Ｘ軸検知層８０は、該基板７０の上面に設置され、複数の横に配列された検知横列を備え、各検知横列は、複数の菱形のＸ軸電極８１が接続されて構成され、また、それぞれＸ軸駆動線８２に接続されるものである。
【０００３】
該Ｙ軸検知層９０には、該基板７０の下面に設置され、複数の縦に配列された検知縦列を備え、各検知縦列は、複数の菱形のＹ軸電極９１が接続されて構成され、また、それぞれＹ軸駆動線９２に接続されるものである。
【０００４】
前記Ｙ軸検知層９０の各Ｙ軸電極９１は、Ｘ軸検知層８０の各Ｘ軸電極８１と間隔をおいて配列されてもよく、或いは、互いに重ねて配列されてもよい。図５に示すように、該各Ｙ軸電極９１と各Ｘ軸電極８１とは、間隔をおいて配列された場合には、その投射型静電容量式タッチパネルは、セルフキャパシタンス型（Ｓｅｌｆ  Ｃａｐａｃｉｔａｎｃｅ）である。該各Ｙ軸電極９１と各Ｘ軸電極８１とは、互いに重ねて配列された場合には、その投射型静電容量式タッチパネルは、相互キャパシタンス型（Ｍｕｔｕａｌ  Ｃａｐａｃｉｔａｎｃｅ）である。
【０００５】
また、前記Ｘ、Ｙ軸検知層８０、９０のＸ、Ｙ軸駆動線８２、９２は、それぞれ制御器と接続することから、制御器がＸ、Ｙ軸検知層８０、９０の各静電容量の変化を検知することができる。投射型静電容量式タッチパネルは、検知インターフェースＸ、Ｙ軸検知層８０、９０と制御器との接続性を高く求めることから、互いに垂直するＸ、Ｙ軸駆動線８２、９２までの抵抗及び内部抵抗の均一性も考える必要があり、それは、Ｘ、Ｙ軸駆動線８２、９２の内部抵抗又は均一性が直接にタッチパネルから出力した信号雑音比（Ｓ/Ｎ）に影響があった。
【考案の概要】
【考案が解決しようとする課題】
【０００６】
しかしながら、上述したように、Ｘ、Ｙ軸駆動線８２、９２は、制御器と接続するために、それぞれＸ、Ｙ軸検知層８０、９０の一側に配置されたことから、各Ｘ、Ｙ軸駆動線８２、９２と制御器との距離は、同一とするわけではなく、ある程度の距離が存在し、Ｘ軸駆動線８２とＹ軸駆動線９２とは、それぞれの長さが違うことから、それらの抵抗と長さとは正比例とするということで、タッチパネルのサイズが大きければ大きいほど、駆動線が長くなり、線の抵抗も大きくなり、そこで、制御器の判断する感受性に悪影響があり、判断上の間違い問題もあった。従って、既有の投射型静電容量式タッチパネルは、技術上の制限を有することから、検討すること又は解決方法が期待されていた。
【課題を解決するための手段】
【０００７】
本考案に係る投射型静電容量式タッチパネルは、Ｘ軸検知層ＸＳと、Ｙ軸検知層ＹＳとを有するものであり、その内、該Ｘ軸検知層ＸＳは、複数の検知横列１０を備え、該各検知横列１０は、一端にＸ軸駆動線１３が設置され、また、該各検知横列１０は、２つ以上の並行するＸ軸電極チェーン１１、１２からなり、且つ、該各Ｘ軸電極チェーン１１、１２は、複数のＸ軸電極１１１、１２１からなり、また、該Ｙ軸検知層ＹＳは、複数の検知縦列２０を備え、該各検知縦列２０は、一端にＹ軸駆動線２３が設置され、また、該各検知縦列２０は、２つ以上の並行したＹ軸電極チェーン２１、２２からなり、且つ、該各Ｙ軸電極チェーン２１、２２は、複数のＹ軸電極２１１、２２１からなり、前記Ｘ軸電極１１１、１２１とＹ軸電極２１１、２２１との間にそれぞれ静電容量を構成するものである。
【０００８】
前記Ｘ軸検知層ＸＳの各Ｘ軸電極１１１、１２１と前記Ｙ軸検知層ＹＳの各Ｙ軸電極２１１、２２１とは、それぞれ間隔をおいて配列されてセルフキャパシタンス型の投射型静電容量式タッチパネルを構成する。
【０００９】
前記Ｙ軸検知層ＹＳのＹ軸電極２１１、２２１は、それぞれ前記Ｘ軸検知層ＸＳのＸ軸電極１１１、１２１と対応するように重ねて相互キャパシタンス型の投射型静電容量式タッチパネルを構成する。
【００１０】
前記Ｘ軸検知層ＸＳ及びＹ軸検知層ＹＳは、同一の基材の同一の面に形成されてもよい。
【００１１】
前記Ｘ軸検知層ＸＳ及びＹ軸検知層ＹＳはそれぞれ、互いに相対する２つの基材３０、４０に形成されてよい。
【００１２】
前記Ｘ軸検知層ＸＳ及びＹ軸検知層ＹＳはそれぞれ、同一の基材の対応する上面及び底面に形成されてもよい。
【００１３】
前記Ｘ軸検知層ＸＳのＸ軸電極１１１、１２１及びＹ軸検知層ＹＳのＹ軸電極２１１、２２１は、菱形を呈することが好ましい。
【００１４】
前記Ｘ軸検知層ＸＳのＸ軸電極１１１、１２１及びＹ軸検知層ＹＳのＹ軸電極２１１、２２１は、矩形を呈することが好ましい。
【考案の効果】
【００１５】
本考案に係る投射型静電容量式タッチパネルは、各検知横列１０又は各検知縦列２０の内部抵抗を下降すると共に、検知横列１０及び検知縦列２０と制御器との駆動線の抵抗の値を、すべて下降する効果を有し、制御器の判断精度を高くすることができる。
【図面の簡単な説明】
【００１６】
【図１】本考案にかかわる第一実施例の斜面図である。
【図２Ａ】本考案に係る第一実施例のＸ軸検知層の平面図である。
【図２Ｂ】本考案に係る第一実施例のＹ軸検知層の平面図である。
【図３】本考案に係る第一実施例のＸ、Ｙ軸検知層が重ねた状態の平面図である。
【図４】従来の投射型静電容量式タッチパネルの斜面図である。
【図５】従来の投射型静電容量式タッチパネルの平面図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１に示すように、本考案に係る投射型静電容量式タッチパネルの第一実施例は、Ｘ軸検知層ＸＳと、Ｙ軸検知層ＹＳとを有するものである。
【００１９】
図２Ａに示すように、前記Ｘ軸検知層ＸＳは、複数の検知横列１０を備え、該各検知横列１０は、一端にＸ軸駆動線１３が設置され、また、該各検知横列１０は、２つ以上の並行したＸ軸電極チェーン１１、１２からなるものである。本実施例における各検知横列１０には、２つの並行したＸ軸電極チェーン１１、１２からなり、且つ、該各Ｘ軸電極チェーン１１、１２は、複数のＸ軸電極１１１、１２１からなるものである。
【００２０】
図２Ｂに示すように、前記Ｙ軸検知層ＹＳは、複数の検知縦列２０を備え、該各検知縦列２０は、一端にＹ軸駆動線２３が設置され、また、該各検知縦列２０は、２つ以上の並行したＹ軸電極チェーン２１、２２からなるものである。本実施例における各検知縦列２０には、２つの並行したＹ軸電極チェーン２１、２２からなり、且つ、該各Ｙ軸電極チェーン２１、２２は、複数のＹ軸電極２１１、２２１からなるものである。
【００２１】
前記Ｘ軸検知層ＸＳ及びＹ軸検知層ＹＳは、同一の基材の上面に形成されてもよく、さらに、前記Ｘ軸検知層ＸＳの各Ｘ軸電極１１１、１２１と前記Ｙ軸検知層ＹＳの各Ｙ軸電極２１１、２２１とは、それぞれ間隔をおいて配列されるものであり（図３に掲示された）、それによれば、セルフキャパシタンス型の投射型静電容量式タッチパネルを構成する。
【００２２】
さらに、図１に示すように、本実施例におけるＸ軸検知層ＸＳ及びＹ軸検知層ＹＳはそれぞれ、互いに相対する２つの基材３０、４０に形成され、その内、前記Ｘ軸電極１１１、１２１及びＹ軸電極２１１、２２１は、両端部に位置するのが三角形を呈し、他がすべて菱形を呈するものである。上述した構成によって、そのＸ軸検知層ＸＳ及びＹ軸検知層ＹＳはそれぞれ、同一の基材の対応する上面及び底面に形成されてもよく、２つの基材の相対する面に形成されてもよく、それらは、異なるタイプのセルフキャパシタンス型の投射型静電容量式タッチパネルを構成する。
【００２３】
前記のセルフキャパシタンス型に応用された例以外に、本考案は、相互キャパシタンス型に応用しても構わなく、それらの１つの実施例は、Ｘ軸検知層ＸＳが基材の上面に形成され、Ｙ軸検知層ＹＳが基材の底面に形成され、該Ｙ軸検知層ＹＳのＹ軸電極２１１、２２１は、それぞれ該Ｘ軸検知層ＸＳのＸ軸電極１１１、１２１と対応するように重ねて相互キャパシタンス型の投射型静電容量式タッチパネルを構成する。また、前記Ｘ軸検知層ＸＳ及びＹ軸検知層ＹＳはそれぞれ、２つの基材の相対する面に形成された場合、他のタイプの相互キャパシタンス型の投射型静電容量式タッチパネルを構成する。さらに、そのＸ軸電極１１１、１２１及びＹ軸電極２１１、２２１は、上述した三角形、菱形を呈するもの以外に、矩形を呈しても構わない。
【００２４】
さらに、前記Ｘ軸検知層ＸＳの各Ｘ軸電極チェーン１１、１２は、互いに並行するものであり、そのＸ軸電極チェーン１１、１２は、透明な電極（ＩＴＯ）からなるものであることから、内部抵抗を有する、抵抗の公式によって、２つの抵抗を並行すると、抵抗の値が元の値より小さくなり（その２つの抵抗の値が同一ではない場合には、２つの抵抗が互いに並行すると、抵抗の値が元の小さい値よりもっと小さくなる）、即ち、そのＸ軸電極チェーン１１、１２は、互いに並行すると、その検知横列１０の抵抗の値を下降させることができる。そのことによって、前記Ｙ軸検知層ＹＳの各Ｙ軸電極チェーン２１、２２は、互いに並行するものであることから、検知縦列２０の抵抗の値も下降することになる。それによれば、制御器の判断する感受性が高くなることができる。
【００２５】
また、上述したように、前記Ｘ軸検知層ＸＳ及びＹ軸検知層ＹＳは、同一の基材に形成されても、それぞれ２つの基材の相対する面に形成されても、各検知横列１０又は各検知縦列２０のＸ、Ｙ軸駆動線１３、２３に接続される必要があり、そこで、パネルの面積が大きければ大きいほど、パネルの側部に位置した検知列１０、２０は、Ｘ、Ｙ軸駆動線１３、２３が長くなり、制御器のボートとの距離が長くなり、抵抗の値も高くなり、そこで、各検知横列１０又は各検知縦列２０の内部抵抗が均一にはならなく、制御器の判断する精度に悪影響があり、これは、既存の投射型静電容量式タッチパネルのサイズが増加することができないという問題点であった。
【産業上の利用可能性】
【００２６】
本考案は上記の構成を有することから、各検知横列１０又は各検知縦列２０の内部抵抗を下降させると共に、検知横列１０及び検知縦列２０と制御器との駆動線の抵抗の値を、すべて下降させる効果を有し、制御器の判断精度を高くすることができる。
【符号の説明】
【００２７】
ＸＳ                           Ｘ軸検知層
ＹＳ                           Ｙ軸検知層
１０                           検知横列
１１、１２                    Ｘ軸電極チェーン
１１１、１２１                 Ｘ軸電極
１３                           Ｘ軸駆動線
２０                           検知縦列
２１、２２                    Ｙ軸電極チェーン
２１１、２２１                 Ｙ軸電極
２３                           Ｙ軸駆動線
３０、４０                    基材
７０                           基板
８０                           Ｘ軸検知層
８１                           Ｘ軸電極
８２                           Ｘ軸駆動線
９０                           Ｙ軸検知層
９１                           Ｙ軸電極
９２                           Ｙ軸駆動線
【図１】
0003170266.tif 000003
【図２Ａ】
0003170266.tif 000004
【図２Ｂ】
0003170266.tif 000005
【図３】
0003170266.tif 000006
【図４】
0003170266.tif 000007
【図５】
0003170266.tif 000008